(57)【要約】      （修正有）【課題】組立て容易な家屋内設置型遠赤外線低温岩盤浴サウナ構造を提供する。【解決手段】全体を立方体或いは長方体状に構成した家屋内設置型遠赤外線低温岩盤浴サウナ構造であって、前記サウナ構造１は、天板部２、左，右側壁面部３，４、前壁面部５、後壁面部６、床面部７、ベンチ部の全てをそれぞれパネル形状の状態とすると共に、前記前壁面部、ベンチ部、後壁面部の室内側に、それぞれ遠赤外線ヒーターを配設し、該ヒーター上面部を覆うように大理石、電気石（トルマリン）、麦飯石、ブラックシリカ（黒鉛珪石）、人造石からなる郡から選択された岩盤を、前記遠赤外線ヒーターの上面部の少なくとも一部を覆うように前記パネルに着脱可能に装着して一体化パネル構造とし、各一体化パネルにそれぞれ配置した連結金具１１によって連結して組立て可能とし、前記遠赤外線ヒーター及び岩盤等から発生する遠赤外線・マイナスイオンを利用し低温で安定した温度で入浴できるようにした。【選択図】図１
0003138385.tif 000002
【実用新案登録請求の範囲】
【請求項１】
全体を立方体或いは長方体状に構成した家屋内設置型遠赤外線低温岩盤浴サウナ構造であって、前記サウナ構造は、天板部、左，右側壁面部、前壁面部、後壁面部、床面部、ベンチ部の全てをそれぞれパネル形状の状態とすると共に、前記前壁面部、ベンチ部、後壁面部の室内側に、それぞれ遠赤外線ヒーターを配設し、該ヒーター部を覆うように大理石、電気石（トルマリン）、麦飯石、ブラックシリカ（黒鉛珪石）、人造石からなる郡から選択された岩盤を、前記遠赤外線ヒーターの上部の少なくとも一部を覆うように前記パネル形状に着脱可能に装着して一体化パネル構造とし、各一体化パネルにそれぞれ配置した連結金具によって連結して組立て可能とし、前記遠赤外線ヒーター及び岩盤等から発生する遠赤外線・マイナスイオンを利用し低温で安定した温度で入浴できるようにしたことを特徴する家屋内設置型遠赤外線低温岩盤浴サウナ構造。
【請求項２】
前記遠赤外線ヒーターは、前記後壁面部室内側の左右位置に２箇所、ベンチ部の下部に１箇所、前壁面部の室内側の左右位置に２箇所それぞれ装着してあることを特徴とする請求項１に記載の家屋内設置型遠赤外線低温岩盤浴サウナ構造。
【請求項３】
前記岩盤の厚み及びサイズは必要に応じ変更可能とし、前記遠赤外線ヒーターの電源は１００Ｖ及び２００Ｖの中から必要に応じ選択すると共に、温度を３５℃〜８０℃以内とし、この範囲以内において使用温度及び使用時間を制御できるようにした制御器を備えたことを特徴とする請求項１に記載の家屋内設置型遠赤外線低温岩盤浴サウナ構造。
【考案の詳細な説明】
【技術分野】
【０００１】
この考案は住宅の屋内で使用する家屋内設置型遠赤外線低温岩盤浴サウナ構造に関するものである。
【背景技術】
【０００２】
従来、一般家庭内で使用されている家庭用室内サウナ構造は、メーカー、工場等で組み立てられたサウナ構造物が大部分であり、数多くの家庭で利用され人々のストレス解消や、健康の増進に貢献してきた。
即ち、手軽に家庭でサウナに入浴でき、健康増進に役立ち、ストレス解消に役立っている。また、体調の維時管理に役立ち、好みの時間に好みの温度で入浴できる。
しかるに、メーカー及び工場での組み立ての終わったサウナ構造物の完成品を配送するには多く作業員が必要であり、家庭に搬入する時には完成品が大きすぎて住宅内に搬入する事が不可能であったり、室内での移動が不可能であったりする不具合があった。
又、数少ないヒーターで加熱する為、サウナ室内の温度の立ち上がりが遅く、室内温度のバラツキがあり低温での温度の安定が難かしく、入浴には満足できないこともあった。
【０００３】
家庭内で商用電源を利用して使用することができる遠赤外線低温岩盤浴低温サウナは、一般市場には開発販売されておらず、ユーザーには、安価で高性能な、高品質の製品の開発供給が望まれていた。
【考案の開示】
【考案が解決しようとする課題】
【０００４】
この考案は、前述した問題点を解決しようとするものであって、遠赤外線低温岩盤浴サウナ構造において、遠赤外線ヒーターを前壁面部、ベンチ部、後壁面部の所定位置に配置し、ベンチ部、後壁面部の前記ヒーター配設位置に大理石、電気石、麦飯石、ブラックシリカ（黒鉛珪石）、人造石等から選択された岩盤を、前記遠赤外線ヒーターの上面部に配設して一体化パネル形状にし、これらを各家庭で、手軽に組み立て完成させることで、移動が容易にでき安定した温度で安全に快適な遠赤外線低温岩盤浴サウナを安価で提供することを目的としている。
【課題を解決するための手段】
【０００５】
本考案の請求項１の考案は、全体を立方体或いは長方体状に構成した家屋内設置型遠赤外線低温岩盤浴サウナ構造であって、前記サウナ構造は、天板部、左，右側壁面部、前壁面部、後壁面部、床面部、ベンチ部の全てをそれぞれパネル形状の状態とすると共に、前記前壁面部、ベンチ部、後壁面部の室内側に、それぞれ遠赤外線ヒーターを配設し、該ヒーター部を覆うように大理石、電気石（トルマリン）、麦飯石、ブラックシリカ（黒鉛珪石）、人造石からなる郡から選択された岩盤を、前記遠赤外線ヒーターの上部の少なくとも一部を覆うように前記パネルに着脱可能に装着して一体化パネル構造とし、各一体化パネルにそれぞれ配置した連結金具によって連結して組立て可能とし、前記遠赤外線ヒーター及び岩盤等から発生する遠赤外線・マイナスイオンを利用し低温で安定した温度で入浴できるようにしたことを特徴する。
【０００６】
請求項２の考案は、請求項１に記載の家屋内設置型遠赤外線低温岩盤浴サウナ構造において、前記遠赤外線ヒーターは、前記後壁面部室内側の左右位置に２箇所、ベンチ部の下部に１箇所、前壁面部の室内側の左右位置に２箇所それぞれ装着してあることを特徴とする。
【０００７】
請求項３の考案は、請求項１に記載の家屋内設置型遠赤外線低温岩盤浴サウナ構造において、前記岩盤の厚み及びサイズは必要に応じ変更可能とし、前記遠赤外線ヒーターの電源は１００Ｖ及び２００Ｖの中から必要に応じ選択すると共に、温度を３５℃〜８０℃以内とし、この範囲以内において使用温度及び使用時間を制御できるようにした制御器を備えたことを特徴とする。
【考案の効果】
【０００８】
本考案は前述の構成であるため、各家庭で手軽に組み立て或いは容易に移動ができ且つ安定した温度で安全に快適な遠赤外線低温岩盤浴サウナを安価で提供できる。
【考案を実施するための最良の形態】
【０００９】
以下この考案の家屋内設置型遠赤外線低温岩盤浴サウナ構造に係る一実施例につき図を参照して説明する。
【実施例】
【００１０】
この考案の実施形態による家屋内設置型遠赤外線低温岩盤浴サウナ構造は、図１に示すように、全体を木製板状パネルを用いて立方体或いは長方体状に構成した家屋内設置型遠赤外線低温岩盤浴サウナ構造であって、前記サウナ構造１は、天板部２、左，右側壁面部３，４  前壁面部５、後壁面部６、床面部７、ベンチ部８の全てをそれぞれパネル形状とし、前記前壁面部５、ベンチ部８、後壁面部６の室内側にそれぞれ遠赤外線ヒーター９を配設し、該ヒーター９を覆うように大理石、電気石、麦飯石、ブラックシリカ（黒鉛珪石）、人造石からなる郡から選択された岩盤１０を前記遠赤外線ヒーター９上面部の少なくとも一部に桟部材１０ａを介して前記パネルに着脱可能に装着して一体化パネル構造としたものである。
【００１１】
前記各パネルの枠部材１２にはそれぞれフックなどの連結金具１１が設けてあり各パネルの組立てを可能にしている。
前記遠赤外線ヒーター９は、前記後壁面部６の室内側の左右位置に２箇所、ベンチ部８の下部に１箇所、前壁面部５の室内側の左右に２箇所それぞれ装着してある。
【００１２】
また、前記遠赤外線ヒーター９の全面又は一部を覆うように配設された岩盤１０は、大理石、電気石（トルマリン）、麦飯石、ブラックシリカ（黒鉛珪石）、人造石等の岩盤１０が使用されており、該岩盤１０から遠赤外線、マイナスイオンが発生するようになっている。
更に、前記連結金具１１は、天板部２の枠部材１２と、左，右側壁面部３，４  前壁面部５、後壁面部６との上方枠部材１２との間、及び床面部７の枠部材１２と、左，右側壁面部３，４  前壁面部５、後壁面部６との下方枠部材１２との間に配設されて互いに連結可能となっている。    
【００１３】
また、前記左，右側壁面部３，４  前壁面部５、後壁面部６の各隣接する枠部材１２には、それぞれ６〜１０個の組み立て時に必要なフックなどの連結金具１１が取り付けられて連結可能となっている。
また、前記前壁面部５には開閉扉５ａが設けられている。
【００１４】
次に各パネル化した各壁面部の所定の場所に遠赤外線ヒーター９を取り付ける。前記遠赤外線ヒーター９は、図３〜図６に示されるように、前記前壁面部５の室内側の略中央には開閉扉５ａを挟んで左右に配設されている。また、前記後壁面部６の室内側の略中央には並列して前記遠赤外線ヒーター９が配設されている。更にベンチ部８の下部にも前記遠赤外線ヒーター９が配設されている。
【００１５】
また、前記前壁面部５及び前記後壁面部６に配設された前記遠赤外線ヒーター９の上面部は、大理石、電気石、麦飯石、ブラックシリカ（黒鉛珪石）、人造石等から選択された岩盤１０によって覆って構成し一体化パネル形状とする。
更に、前記ベンチ部８の腰掛け部分の上面部にも岩盤１０を載せて取り付け一体化する。
前記前壁面部５の内面側には遠赤外線ヒーター９の温度・時間等をコントロールする制御器１３が取り付けてあり、遠赤外線ヒーター９の温度（３５℃〜８０℃）、使用時間の設定等が可能になっている。１４はラジオ或いはＣＤ等の音響設備で、１５は天板部に設けたスピーカーである。また１６は天板部に設けた通風孔である。
【００１６】
前述した構成による遠赤外線低温岩盤浴サウナの各壁面部及び天板部、床面部を構成するパネルの枠部材１２には、所定の位置に連結金具１１が設けられているため、簡単に組み立てる事が出来、室内間の移動も簡単に出来る。
【００１７】
本考案の遠赤外線ヒーター９の電源は１００Ｖ一２００Ｖのどちらかの一方から選択し使用する事が出来る。また、前記前壁面部５及び前記後壁面部６に配設された前記遠赤外線ヒーター９の上面部を覆う、大理石、電気石、麦飯石、ブラックシリカ（黒鉛珪石）、人造石等から選択された岩盤１０の厚さ寸法は９ｍｍ~２５ｍｍ程度で、サイズ形状は所望によって選択して使用することができる。前記岩盤１０は蓄熱効果と遠赤外線、マイナスイオンの放出効果もあり、遠赤外線ヒーターより放出される遠赤外線との相乗効果により、より効果的に岩盤浴サウナを家庭で簡単に入浴が出来、体調管理、ストレス解消等健康で快適な生活を送ることができる。
【００１８】
尚、岩盤浴に必要な岩盤１０の取り付けについては、後壁面部、ベンチ部の腰掛け部分のみの説明であるが、床面部、左右側壁面部にも必要に応じて取りつけ出来ることは勿論である。
また、前記各パネルの材質を木製のものについて説明したが、軽量アルミ、硬質プラスチックなどを用いることも可能である。
【図面の簡単な説明】
【００１９】
【図１】本考案の家屋内設置型遠赤外線低温岩盤浴サウナ構造の一実施例を示す外観斜視図。
【図２】図１の床面部の斜視図。
【図３】図１の天板部の斜視図。
【図４】図１の前壁面部の裏面図。
【図５】図１の後壁面部の一部切欠き裏面図。
【図６】図５の後壁面部に左右の側壁面部を連結した状態の概略斜視図。
【図７】図１の各壁面部材に使用される連結金具を拡大して示す要部正面図。
【符号の説明】
【００２０】
１        前記サウナ構造
２        天板部
３，４    左，右側壁面部  
５        前壁面部
６        後壁面部
７        床面部
８        ベンチ部
９        遠赤外線ヒーター
１０      岩盤
１０ａ    桟部材
１１      連結金具
１２      枠部材
１３      制御器
１４      ラジオ或いはＣＤ等の音響設備
１５      スピーカー
１６      通風孔
【図１】
0003138385.tif 000003
【図２】
0003138385.tif 000004
【図３】
0003138385.tif 000005
【図４】
0003138385.tif 000006
【図５】
0003138385.tif 000007
【図６】
0003138385.tif 000008
【図７】
0003138385.tif 000009